(57)【要約】【課題】取り扱い易く、製造も容易である、マンホール用の落下防止兼補助梯子用中蓋を、提供すること。【解決手段】補助梯子として機能する横枠２１、２２、２３を有し、且つ、閉状態において地表開口部を塞ぐよう機能する、蓋本体２と、蓋本体２を蓋受け枠に開閉可能に支持する、支持部３と、蓋本体２を閉状態で蓋受け枠に解除可能に係止する係止部４と、を備えており、蓋本体２が一対の縦縁枠２５、２６も有しており、横枠２１、２２、２３がパイプからなっており、縦縁枠２５、２６がプレートからなっており、横枠２１、２２、２３のそれぞれの両端が縦縁枠２５、２６にかしめ接合されている、ことを特徴とする、マンホール用の落下防止兼補助梯子用中蓋である。【選択図】図１
2009256875.tif 000002
【特許請求の範囲】
【請求項１】
マンホールの地表開口部を開閉するようにマンホール蓋用蓋受け枠に取り付けられて、開状態では補助梯子として機能し、閉状態ではマンホールへの落下防止用の蓋として機能する、中蓋において、
補助梯子として機能する横枠を有し、且つ、閉状態において地表開口部を塞ぐよう機能する、蓋本体と、
蓋本体を上記蓋受け枠に開閉可能に支持する、支持部と、
蓋本体を閉状態で上記蓋受け枠に解除可能に係止する係止部と、を備えており、
蓋本体が一対の縦縁枠も有しており、横枠がパイプからなっており、縦縁枠がプレートからなっており、横枠の両端が縦縁枠にかしめ接合されている、ことを特徴とする、マンホール用の落下防止兼補助梯子用中蓋。
【発明の詳細な説明】
【技術分野】
【０００１】
本発明は、マンホールの地表開口部を開閉するようにマンホール蓋用蓋受け枠に取り付けられて、開状態では補助梯子として機能し、閉状態ではマンホールへの落下防止用の蓋として機能する、中蓋、に関する。
【背景技術】
【０００２】
近年、図６に示されるように、マンホールの地表開口部９０においては、マンホール蓋９１を載せる蓋受け枠９２に、中蓋１が取り付けられるようになってきている。この中蓋１は、マンホール作業中に作業者や作業道具等がマンホール内へ落下するのを防止するために、及び、補助梯子として利用するために、用いられている。このような落下防止兼補助梯子用中蓋は、例えば、特許文献１、２に開示されている。そして、それらの中蓋の蓋本体は、複数の横枠と、２本の真っ直ぐな縦縁枠と、で構成されており、横枠は、両端にて、縦縁枠にボルト固定されている。
【特許文献１】特開２００２−３８５０４号公報
【特許文献２】特開２００３−２０６６５号公報
【発明の開示】
【発明が解決しようとする課題】
【０００３】
ところで、中蓋は、マンホール作業において補助的目的のために使用されるものである。したがって、中蓋には、取扱い易さが求められている。しかしながら、特許文献１、２に示されている中蓋は、蓋本体に重量感があるために、取り扱い難く、しかも、製造も面倒である。
【０００４】
本発明は、取り扱い易く、製造も容易である、マンホール用の落下防止兼補助梯子用中蓋を、提供することを目的とする。
【課題を解決するための手段】
【０００５】
本発明は、マンホールの地表開口部を開閉するようにマンホール蓋用蓋受け枠に取り付けられて、開状態では補助梯子として機能し、閉状態ではマンホールへの落下防止用の蓋として機能する、中蓋において、補助梯子として機能する横枠を有し、且つ、閉状態において地表開口部を塞ぐよう機能する、蓋本体と、蓋本体を上記蓋受け枠に開閉可能に支持する、支持部と、蓋本体を閉状態で上記蓋受け枠に解除可能に係止する係止部と、を備えており、蓋本体が一対の縦縁枠も有しており、横枠がパイプからなっており、縦縁枠がプレートからなっており、横枠の両端が縦縁枠にかしめ接合されている、ことを特徴とする、マンホール用の落下防止兼補助梯子用中蓋である。
【発明の効果】
【０００６】
本発明によれば、蓋本体が、パイプからなる横枠と、プレートからなる縦縁枠と、からなっているので、軽量である。したがって、取扱い易い。しかも、横枠の両端が縦縁枠にかしめ接合されているので、容易に製造できる。したがって、生産性を向上できる。
【発明を実施するための最良の形態】
【０００７】
図１は本発明のマンホール用の落下防止兼補助梯子用中蓋の開状態を示す斜視図、図２は図１のII矢視図、図３は図１の中蓋の閉状態を示す平面図、図４は図３のIV矢視図、図５は図３のＶ矢視図である。この中蓋１は、蓋本体２、支持部３、及び係止部４からなっている。ところで、図６に示されるように、マンホールの地表開口部９０には、マンホール蓋９１が載せられる平面視環状の蓋受け枠９２が、設けられている。中蓋１は、この蓋受け枠９２に取り付けて用いられる。
【０００８】
蓋本体２は、３本の横枠２１、２２、２３と、２本の縦縁枠２５、２６と、からなっている。
【０００９】
支持部３は、２本の縦縁枠２５、２６の基端に設けられた、２個の支持体３１と、水平な回動軸３２と、からなっている。支持体３１は、蓋受け枠９２を上下から挟持する挟持部３１１と、回動軸３２に回動自在に連結している連結部３１２と、からなっている。支持体３１は、挟持部３１１によって蓋受け枠９２を挟持することによって、蓋受け枠９２に固定される。２個の支持体３１は、互いに左右対称に構成されている。回動軸３２は、蓋本体２の２本の縦縁枠２５、２６の基端に、回動自在に支持されている。したがって、蓋本体２は、基端側が蓋受け枠９２に支持された状態で、回動軸３２を中心として、図４の矢印に示されるように、回動するようになっている。なお、回動軸３２としては、樹脂製のパイプを用いるのが好ましい。
【００１０】
係止部４は、２本の縦縁枠２５、２６の先端に設けられた、２個の上部材４１と、２個の上部材４１の下方に隙間４４（図４）を隔てて位置する、２個の下部材４２と、２個の下部材４２を縦方向にスライドさせるスライド機構４３と、からなっている。隙間４４は、蓋受け枠９２を受け入れる大きさを有している。上部材４１は、蓋受け枠９２に上から掛けられるよう設けられている。スライド機構４３は、２個の下部材４２を連結した横フレーム４３１と、２本の縦縁枠２５、２６の先端に固定された横軸４３２と、一端が横軸４３２に固定され且つ他端が横フレーム４３１に固定された、２個のスプリング４３３と、からなっている。なお、横軸４３２としては、樹脂製のパイプを用いるのが好ましい。下部材４２は、スプリング４３３によって先端側へ常時付勢されている。したがって、下部材４２をスプリング４３３に抗して基端側にスライドさせた状態で上部材４１を蓋受け枠９２に上から掛け、スプリング４３３の力によって下部材４２を先端側にスライドさせると、蓋受け枠９２が上部材４１と下部材４２との間の隙間４４に位置し、これにより、蓋本体２は、蓋受け枠９２に対して係止状態となる。なお、下部材４２をスプリング４３３に抗して基端側にスライドさせると、蓋本体２は蓋受け枠９２に対して解除状態となる。したがって、蓋本体２は、係止部４によって、蓋受け枠９２に対して解除可能に係止される。
【００１１】
そして、本発明では、蓋本体２が、パイプからなる横枠２１、２２、２３と、プレートからなる縦縁枠２５、２６と、からなっている。パイプは、例えば、アルミニウムの押出形材である。プレートは、例えば、ステンレス鋼板である。横枠２１の両端２１１、２１２は、縦縁枠２５、２６に、かしめ接合されている。横枠２２の両端２２１、２２２も、縦縁枠２５、２６に、かしめ接合されている。横枠２３の両端２３１、２３２も、縦縁枠２５、２６に、かしめ接合されている。縦縁枠２５、２６は、それぞれ、外側に膨出した形態を有している。横枠２１、２２は、縦縁枠２５、２６の膨出部２７、２８に、接合されている。
【００１２】
上記構成の中蓋１によれば、閉状態すなわち蓋本体２が係止部４によって蓋受け枠９２に係止されている状態において、蓋本体２がマンホールの地表開口部を塞ぐこととなるので、作業者や作業道具等がマンホールへ落下するのを防止できる。また、上記構成の中蓋１によれば、開状態すなわち蓋本体２が図１及び図２に示されるように起立している状態において、横枠２１、２２、２３がマンホールに出入りする作業者にとっての手摺り等として役立つので、補助梯子として機能できる。したがって、上記構成の中蓋１は、マンホール用の落下防止兼補助梯子として機能できる。
【００１３】
そして、上記構成の中蓋１によれば、蓋本体２が、パイプからなる横枠２１、２２、２３と、プレートからなる縦縁枠２５、２６と、からなっているので、軽量である。したがって、取扱い易い。しかも、横枠２１、２２、２３のそれぞれの両端が縦縁枠２５、２６にかしめ接合されているので、容易に製造できる。したがって、生産性を向上できる。
【産業上の利用可能性】
【００１４】
本発明のマンホール用の落下防止兼補助梯子用中蓋は、取り扱い易く、製造も容易であるので、産業上の利用価値が大である。
【図面の簡単な説明】
【００１５】
【図１】本発明のマンホール用の落下防止兼補助梯子用中蓋の開状態を示す斜視図である。
【図２】図１のII矢視図である。
【図３】図１の中蓋の閉状態を示す平面図である。
【図４】図３のIV矢視図である。
【図５】図３のＶ矢視図である。
【図６】マンホールの地表開口部を示す上方斜視図である。
【符号の説明】
【００１６】
１  中蓋  ２  蓋本体  ２１、２２、２３  横枠  ２５、２６  縦縁枠  ３  支持部  ４  係止部
【図１】
2009256875.tif 000003
【図２】
2009256875.tif 000004
【図３】
2009256875.tif 000005
【図４】
2009256875.tif 000006
【図５】
2009256875.tif 000007
【図６】
2009256875.tif 000008